(57)【要約】【課題】面光源によって光触媒シートの全面で効果的に光触媒を励起させて脱臭性能を長期間維持でき、コンパクト化と長寿命化が図れる光触媒脱臭装置を提供する。【解決手段】本発明は、通風路の途中に配置される、光触媒粒子６１Ｂ，６２Ｂがガラス繊維６Ａ間に機械的に担持された通気可能な光触媒シート６１，６２と、光触媒シートの通気方向の上流側にて通気方向を遮るように配置され、かつ、光触媒シートに対向する面側に適数個のＬＥＤチップ３が実装されると共に各ＬＥＤチップ間の基板面に適数個の通風孔４が形成された面光源基板５とを備え、通風孔から流入する空気が光触媒シートの全面を均等に通過するようにした光触媒脱臭装置１である。【選択図】      図２
2012152452.tif 000002
【特許請求の範囲】
【請求項１】
通風路の途中に配置される、光触媒粒子がガラス繊維間に機械的に担持された通気可能な光触媒シートと、
前記光触媒シートの通気方向の上流側にて通気方向を遮るように配置され、かつ、前記光触媒シートに対向する面側に適数個のＬＥＤチップが実装されると共に各ＬＥＤチップ間の基板面に適数個の通風孔が形成された面光源基板とを備え、
前記通風孔から流入する空気が前記光触媒シートを通過するようにした光触媒脱臭装置。
【請求項２】
前記ＬＥＤチップは、常温液体ガラスにて前記基板上に封止したことを特徴とする請求項１に記載の光触媒脱臭装置。
【請求項３】
基板の一側面にプラス電極パターンとマイナス電極パターンとをそれらの間をレジストにて絶縁するようにして形成し、多数の箇所で、かつ、一様な面分布になるような適当な箇所に、前記プラス電極パターンとマイナス電極パターンとが細いレジストにて対向するブリッジ部分を形成し、前記ブリッジ部分それぞれにおいて、前記プラス電極パターン上のＬＥＤチップを実装し、前記ＬＥＤチップのカソードと前記ブリッジ部を超えて対向するマイナス電極パターンとの間にワイヤをボンディングし、前記ＬＥＤチップのアノードとプラス電極パターンとの間にもワイヤをボンディングし、前記基板の多数の箇所で、かつ、一様な面分布となるような箇所に通風孔を形成して前記面光源基板としたことを特徴とする請求項１又は２に記載の光触媒脱臭装置。
【発明の詳細な説明】
【技術分野】
【０００１】
本発明は、光触媒を利用して空気中の臭気成分や有機ガス分子を分解することにより、脱臭を行う光触媒脱臭装置に関する。
【背景技術】
【０００２】
近年、居住空間や車内などの所謂、準閉鎖空間における空気の清浄化改善の要望が高まっており、食物から発生し、あるいはタバコ副流煙として発生するアンモニアや、建材などから発生するＶＯＣ（揮発性有機物質。例えば、アセトアルデヒド）などを除去する脱臭装置が特に望まれている。
【０００３】
従来、この種の脱臭装置として、特許第４３８８７３４号公報（特許文献１）に記載されたものが知られている。この従来の光触媒脱臭装置は、枠型のホルダー内にボロンを含有しないシート状のガラス繊維成形品に光触媒を担持させた通気性光触媒体の複数枚を、気流の通過方向に互いに離間状態で配置し、光源ランプを通気性光触媒体の側方に対置した構成である。そして、ガラス繊維成形品に担持させる光触媒には、ルチル型、アナタース型、あるいはその共存型の酸化チタンを用い、光源ランプには紫外線（ＵＶ）ランプ、水銀灯、蛍光灯を用いている。さらに、ガラス繊維成形品には、通気性を良くするためにクロス状のものを用いている。このような従来の光触媒脱臭装置によれば、長寿命でメンテナンス性に優れたものであり、空気清浄が可能である。
【０００４】
しかしながら、従来の光触媒脱臭装置では、特に光源に管ランプを採用しているために、光源ユニットに大きなスペースを割く必要があること、体積が大きくなるために多数本を緻密に配列できず、ガラス繊維成形品の全面に一様な照度で光を照射させることができない、電力消費量が大きくなる、コンパクト化が困難である等の問題点があった。
【先行技術文献】
【特許文献】
【０００５】
【特許文献１】特許第４３８８７３４号公報
【発明の概要】
【発明が解決しようとする課題】
【０００６】
本発明は、上記従来技術の課題に鑑みてなされたもので、光触媒の励起光源にＬＥＤ面光源を採用し、ガラス繊維製の光触媒シートを採用することで、面光源からの光が光触媒シートの全面に影を作ることなく照射でき、光触媒シートの全面で効果的に光触媒を励起させて脱臭性能を長期間維持でき、さらにコンパクト化と長寿命化が図れる光触媒脱臭装置を提供することを目的とする。
【課題を解決するための手段】
【０００７】
本発明は、通風路の途中に配置される光触媒粒子がガラス繊維間に機械的に担持された通気可能な光触媒シートと、前記光触媒シートの通気方向の上流側にて通気方向を遮るように配置され、かつ、前記光触媒シートに対向する面側に適数個のＬＥＤチップが実装されると共に各ＬＥＤチップ間の基板面に適数個の通風孔が形成された面光源基板とを備え、前記通風孔から流入する空気が前記光触媒シートを通過するようにした光触媒脱臭装置を特徴とする。
【発明の効果】
【０００８】
本発明によれば、励起光源からの光が光触媒ユニットの全面に影を作ることなく照射でき、光触媒シートの全面で効果的に光触媒を励起させて脱臭性能を長期間維持でき、同時に、通過する空気の流れを緩やかな流れにして光触媒シートとの接触時間を長くしてこの面からも光触媒シートの全面で効果的に脱臭でき、コンパクト化と長寿命化が図れる光触媒脱臭装置を提供することができる。
【図面の簡単な説明】
【０００９】
【図１】本発明の第１の実施の形態の光触媒脱臭装置を搭載した冷蔵庫の一部破断断面図。
【図２】本発明の第１の実施の形態の光触媒脱臭装置の一部破断した斜視図。
【図３】本発明の第１の実施の形態の光触媒脱臭装置の一部省略した断面図。
【図４】本発明の第１の実施の形態の光触媒脱臭装置に用いる光触媒シートの正面図及び平面図。
【図５】本発明の第１の実施の形態の光触媒脱臭装置に用いる面光源基板の正面図。
【図６】上記面光源基板の一部破断した拡大図。
【図７】上記面光源基板におけるＬＥＤ実装部分の拡大図。
【図８】上記面光源基板におけるＬＥＤ点灯回路の等価回路図。
【図９】本発明の第１の実施の形態の光触媒脱臭装置に用いる光触媒シート内のガラス繊維織物の拡大図。
【図１０】本発明の第１の実施の形態の光触媒脱臭装置に用いる光触媒シート内のガラス繊維による光触媒粒子の担持状態の顕微鏡写真。
【図１１】本発明の実施例１の光触媒脱臭装置のアセトアルデヒド分解性能を比較例１と対比して示すグラフ。
【図１２】本発明の実施例１の光触媒脱臭装置のアンモニア分解性能を比較例１と対比して示すグラフ。
【図１３】本発明の実施例１の光触媒脱臭装置の照度維持時間特性をと比較例１，２と対比して示すグラフ。
【発明を実施するための形態】
【００１０】
以下、本発明の実施の形態を図に基づいて詳説する。
【００１１】
［第１の実施の形態］
本発明の１つの実施の形態の光触媒脱臭装置１は、図１に示すように冷蔵庫１００の庫内に脱臭のために設置する装置である。冷蔵庫１００の庫内では、冷却ファン１０１にて冷気１０２は低風速、例えば０．２ｍ／秒〜３ｍ／秒の風速にて庫内を循環する。本実施の形態の光触媒脱臭装置１は、このような低風速下で空気の流れを阻害せず、光触媒により庫内空気を脱臭するために冷気通路１０３に設置して用いられる。
【００１２】
図２〜図４に示すように、本実施の形態の光触媒脱臭装置１は、担持された光触媒の粒子を励起するための多数のＬＥＤチップ３が実装され、また、多数の通風孔４が形成された面光源基板５、それと略平行に配置された複数種、複数枚の光触媒シート６１，６２、及び面光源基板５と対向し略平行に配置された、同じく多数の通風孔４を設けた対向基板７、そして、これらの板材の位置を保持し、形状を保持し補強する枠体で成る筐体８、そして天板９から一体的なユニットに構成されている。本実施の形態のユニットにあって、光触媒シート６１，６２は合計で３枚、装着されている。光触媒シート６１が２枚、光触媒シート６２が１枚である。前述の対向基板７は、脱臭性能向上のため、ＬＥＤチップ３を実装した面光源基板５と同じものであってもよい。
【００１３】
筺体８の材料は、紫外線に対する高い耐候性と基質ガスに対する変色が少ない観点から、アクリル樹脂（ポリメタクリル酸メチル樹脂）でもよいし、さらにはアクリル樹脂であっても発臭を抑えた、重合度を１０，０００〜１５，０００程度に高めた材料でもよい。また比較的コストが安価で成型性の良好なＡＢＳ樹脂（アクリルニトリル−ブタジエン−スチレン共重合合成樹脂）でもよいし、強度向上のためＡＢＳ樹脂にガラス繊維を混錬させコンパウンドとした強化ＡＢＳ樹脂を使用してもよい。上記材料は、金型を用い所定の形状になるよう成型される。
【００１４】
図５〜図８に示すように、面光源基板５は、設置場所の環境に合わせ適切な分布密度で分布するように通風孔４が多数個を形成されているガラスエポキシ基板上に広面積にプラス、マイナスの電極パターンＰ＋，Ｐ−をプリントし、例えば、紫外線波長λ＝４０５ｎｍ、光量Ｐｏ＝６．２ｍＷ（順方向電流３０ｍＡ）のＬＥＤチップ３を２列に適数個（実施の形態では１８個）実装したものである。
【００１５】
この面光源基板５は、次のようにして作成している。図５、図６に示すように、設置場所の環境に合わせ適切な分布密度で分布するように通風孔４が多数個形成されたガラスエポキシ基板５１上にプラス、マイナスの電極パターンＰ＋，Ｐ−を広面積に、それぞれが基板面積のほぼ半分の面積を占めるようにプリントして形成し、プラス電極パターンＰ＋とマイナス電極パターンＰ−との境界部分には電気絶縁のためにレジストパターンＲｓを形成している。そして、ＬＥＤチップ３を用意し、マウンターでガラスエポキシ基板５１のプラス電極パターンＰ＋の所定の箇所に、脱臭性能で選択される所定個数（実施の形態では最大脱臭性能は２列に１８個になる）配置した後、低融点リフロー炉で２４０℃、１０秒で基板５１に融着させている。図７に示すように、融着後の基板５１上のＬＥＤチップ３の基板電極パターンＰ＋，Ｐ−への結線は、ワイヤーボンダー機にてアノード側とカソード側の２本を２５μｍの金線５２，５３で行っている。ＬＥＤチップ３のカソード側をマイナス電極パターンＰ−に接続するためのワイヤ５２は、レジストＲｓの幅狭なブリッジ部５４をまたぐようにして接続している。
【００１６】
結線後の基板５１は、ＬＥＤチップ３のＰ−Ｎジャンクション保護のため、常温液体ガラスでＬＥＤチップ３ヘポッディングを行い、面光源基板５としている。図６、図７におけるだ円環５５は樹脂の流れ出しを防ぐ堰堤である。この常温液体ガラスを利用することにより、アンモニアガスを透過させてしまうシリコン樹脂を使用した場合よりもＬＥＤチップ３を長期にわたり保護することができる。また、ＵＶに曝されることで劣化しやすいエポキシ樹脂を使用した場合よりも、やはりＬＥＤチップ３を長期にわたり保護することができる。また、面光源基板５において、端部の隅に形成した小孔は、プラス電極パターンＰ＋、マイナス電極パターンＰ−それぞれを電源に接続するリード線のためのリード線接続孔５６＋，５６−である。
【００１７】
本実施の形態における面光源基板５の多数個のＬＥＤチップ３の等価回路は、図８に示すように多数個のＬＥＤチップ３が並列接続された形である。これにより、低い電圧で全ＬＥＤチップ３を点灯させることができ、発熱を抑えることができる。
【００１８】
面光源基板５上のＬＥＤチップ３の搭載個数は、ＬＥＤ１個あたりの光量Ｐｏと、光触媒シート６１，６２の面積と、光触媒シート６１，６２とＬＥＤ発光面間距離とから割り出して、複数の光触媒シート６１，６２上での光照射強度が１ｍＷ／ｃｍ２以上となるよう設計し、１０個〜２０個とするのが好ましい。
【００１９】
光触媒シート６１のガラス繊維６Ａ間に担持させる光触媒粒子６１Ｂは、窒素をドーピングし可視光域（紫色、λ＝４００〜４５０ｎｍ）で触媒活性が知られている市販の可視光型光触媒材料（平均粒度は約４０μｍ）である。また、光触媒シート６２のガラス繊維６Ａ間に担持させる光触媒粒子６２Ｂは、酸化タングステン可視光型光触媒材料（平均粒度は約１３０μｍ）である。
【００２０】
ガラス繊維６Ａによる担持は、２種類それぞれの光触媒粒子６１Ｂ，６２Ｂについて、純水に燐酸を加えｐＨ（水素イオン濃度）を２〜７に調整したアルコール系水溶液に上記光触媒材料を加えた分散溶液にガラス繊維６Ａを１０分間浸漬し、その後１００℃で２時間乾燥することにより行う。こうして、２種類それぞれの光触媒粒子６１Ｂ，６２Ｂがガラス繊維間に担持された２種類のガラス繊維織物６１Ａ，６２Ａを得ている。
【００２１】
上記プロセスで得られた光触媒粒子６１Ｂ，６２Ｂを担持したガラス繊維織物６１Ａ，６２Ａそれぞれの端部を、形状の安定性を付与する目的で、耐光性の高い樹脂からなるフレーム６Ｃで押さえ、光触媒シート６１，６２それぞれとしている。
【００２２】
そして、図２に示すように、酸化チタン（ＴｉＯ２）光触媒粒子６１Ｂを担持した光触媒シート６１の２枚を筺体８のガス導入側Ｉｎに、酸化タングステン（ＷＯ３）光触媒粒子６２Ｂを担持した光触媒シート６２の１枚を筺体８のガス導入側Ｏｕｔに嵌め込み、さらにそれらの両側において、予め作製しておいた面光源基板５、対向基板７を筺体８に嵌め込み、天板９を閉じて一体的なユニットに構成して光脱臭装置１としている。
【００２３】
尚、本実施例では純水を使用した場合を説明したが、光触媒材料の微粒子の分散性を改良するため、分散材（界面活性剤）を０．１ｗｔ％から数ｗｔ％（光触媒材料に対する重量比）を水に混ぜてもよいし、臭気ガス吸着特性を改良するため吸着剤を混ぜてもよい。また、基質ガスの分解は、光により励起された光触媒微粒子上で行われることから、送風手段があっても本発明の本質はいささかも損なわれない。
【００２４】
ガラス繊維織物６１Ａ，６２Ａの光触媒粒子６１Ｂ，６２Ｂの目付け量は、ガラス繊維６Ａから光触媒粒子の脱落性と脱臭性能の確保の観点から、２００〜５００ｇ／ｍ２となるよう行う。図９にガラス繊維６Ａの顕微鏡写真、図１０にガラス繊維織物６１Ａにおけるガラス繊維６Ａに対する光触媒である酸化チタン粒子６１Ｂが担持されている状態の顕微鏡写真を示す。ガラス繊維織物６２Ａについても、そのガラス繊維６Ａに対する酸化タングステン光触媒粒子６２Ｂの担持状態は同様である。尚、ガラス繊維織物６１Ａ，６２Ａについては、図９の顕微鏡写真に示すように、縦糸のガラス繊維６Ａは整然と束ねてあるが、横糸のガラス繊維６Ａはほぐして不揃いな並びにしている。これにより、光触媒粒子６１Ｂ，６２Ｂをガラス繊維６Ａ間に担持しやすくし、この結果、光触媒粒子は、ガラス繊維間から脱落しにくく機械的に担持されている。また、縦糸と横糸は逆にしてもよい。
【００２５】
ガラス繊維織物６１Ａ，６２Ａに用いるガラス繊維６Ａは、直径が約２〜１０μｍでＳｉＯ２成分が５０％以上（より好ましくは６０％以上）のものが好適で、ガラス繊維織物としては、ガラス繊維６Ａの密度が、例えば、縦が２０本のもと糸、横の密度が１８本のもと糸を使用して縦横に織ってガラス繊維織物としている。
【００２６】
このガラス繊維織物６１Ａ，６２Ａについては、開口率が３０％以下になると圧力損失が増大し、機械的に担持させているだけの光触媒粒子が脱落して急激に脱臭性能が低下するので、開口率は３０％以上が好ましい。また、開口率が６０％を超えるようになると、光触媒の絶対的な存在量が激減して効果的な脱臭効果が得られなくなる。
【００２７】
上記構成の光触媒脱臭装置１は、図１に示したように例えば、冷蔵庫１００内の空気通路１０３に設置して使用し、多数個の配列されたＬＥＤチップ３を点灯させて面光源基板５の全面で面発光させ、その光にてガラス繊維織物６１Ａ，６２Ａに担持されている光触媒粒子６１Ｂ，６２Ｂを励起させ、空気中に含有される臭気物質を分解して脱臭する。
【００２８】
本実施の形態の光触媒脱臭装置１によれば、光触媒シート６１，６２に採用した光透過性のガラス繊維織物６１Ａ，６２Ａにそのガラス繊維６Ａ間に光触媒粒子６１Ｂ，６２Ｂを担持させ、多数のＬＥＤチップ３が発光した光を照射して光触媒粒子６１Ｂ，６２Ｂを励起させて臭気物質を分解させるものであるので、ガラス繊維織物６１Ａ，６２Ａの光透過性の故にＬＥＤチップ３の光を光触媒シート６１，６２の全面、表裏両面に到達させて光触媒に照射して励起させることができ、効果的に脱臭できる。また、光源が多数個のＬＥＤチップ３の配列された面光源基板５であるために、ＬＥＤチップ３の長寿命特性により長期間連続使用できる利点もある。
【００２９】
また、光触媒シート６１，６２の開口率を３０％〜６０％とすることで、圧力損失を抑えることができる。また、光触媒シート６１，６２のガラス繊維６Ａを、ＳｉＯ２を５０％以上の成分比とする素材で成るものとしたことにより、光透過性が良好であり、上記のように光触媒シート６１，６２の全面、表裏両面に到達させて光触媒に照射して励起させることができ、効果的に脱臭できる。
【００３０】
また、光触媒シート６１，６２のガラス繊維６Ａの直径を１０μｍ以上とすれば光触媒のガラス繊維からの脱落が顕著となり光触媒による分解性能が低下するが、１０μｍ以下とすることでガラス繊維６Ａ間に光触媒の粒子を密度高く効果的に安定して担持させることができて、大きな光触媒作用が得られる。
【００３１】
本実施の形態の光触媒脱臭装置は、風速０．２ｍ〜３ｍ／秒の低風速下で使用するものであるが、このような低風速下では、ガラス繊維６Ａ間に光触媒粒子６１Ｂ，６２Ｂを単に機械的に担持させた状態でも粒子を空気の流れによって脱落させることなく使用でき、この面からも長期間連続使用が可能となる。
【００３２】
また、本実施の形態によれば、ガラス繊維６Ａ間に光触媒粒子６１Ｂ，６２Ｂを機械的に担持させるだけであり、粘着あるいは接着させるための薬剤を用いることなく光触媒シート６１，６２のガラス繊維６Ａに光触媒粒子６１Ｂ，６２Ｂを担持させることができ、製造コストの低下も図れる。
【００３３】
さらに、本実施の形態の光触媒脱臭装置１では、基質ガスがアンモニアのような弱アルカリ性ガスとアセトアルデヒドのような中性ガス並びにＮＯＸのような酸性ガスから構成される混合ガスを分解する場合、酸化チタン（アナタースを主相）光触媒微粒子６１Ｂをガラス繊維織物６１Ａに担持した光触媒シート６１を当該光触媒脱臭装置１のガス導入側に設置することによって、まず弱アルカリ成分となるアンモニアが酸化チタン（ＴｉＯ２）によって吸着・分解する。十分にアンモニア濃度が低下した状況下で、第２層となる酸化タングステン（ＷＯ３）を主成分とした光触媒微粒子６２Ｂをガラス繊維織物６２Ａに担持した光触媒シート６２を光触媒脱臭装置１の排出側に設置することによって、残留中性ガスを除去する。酸性ガスの場合は、どちらの光触媒微粒子６１Ｂ，６２Ｂの触媒活性を損なうものではなく除去される。
【００３４】
これにより、本実施の形態の光触媒脱臭装置１では、酸化電位が深く、したがって酸化分解能力が高いけれども、弱アルカリ環境下で使用すると触媒活性が低下する酸化タングステン光触媒の課題が解決でき、その酸化分解能力を活用できる。
【００３５】
また、ＬＥＤチップ３の封止材料の中をガスが浸透する場合を考えると、概して封止材料の分子間骨格間で形成される自由体積の存在により、ガスが封止材料中を浸透することが考えられているが、この封止材料に常温液体ガラスとすることにより、基質ガス中の水分やアンモニアの浸入をほぼ完全に防ぐことができる。
【００３６】
加えて、本実施の形態の場合、面光源基板５にはＬＥＤ３を多数実装し、かつ多数個の通風孔４を全面にわたって均一な分布になるように形成しているので、ファンにて送り込まれる空気流により面光源基板５が振動しない剛性を持ち、かつ、送り込まれる空気流を面光源基板５のほぼ全面に広げ、緩やかな流速にして光触媒シート６１，６２側に送り込むことができる。そして内部の空気の流速を緩やかにできるので、光触媒シート６１，６２に速い流速の空気が流れ込むことがなく、光触媒シート６１，６２に振動が発生するのを防ぐことができ、光触媒シート６１，６２の脱落やそれが機械的に担持している光触媒粒子の脱落を防ぐことができ、この点で装置の信頼性を長期にわたり維持できる。また面光源基板５にて空気の流れを全面に広げ、かつ、緩やかな流れとすることができるので、面光源基板５とその下流側の光触媒シート６１，６２との距離を短くでき、この結果として、ＬＥＤチップ３から出る明るい光を光触媒シート６１，６２の全面に一様な、しかも高い照度で照射でき、高い脱臭性能が発揮できる。同時に、面光源基板５と光触媒シート６１，６２との間隔を短くできるので、装置全体としてコンパクト化が図れる。
【実施例】
【００３７】
実施例として、光触媒シート６１の面積５０ｃｍ２、光触媒には酸化チタン粒子（アナタース型８０％、ルチル型２０％）を１ｇ担持させ、光触媒シート６２の面積５０ｃｍ２、光触媒には酸化タングステン粒子を１ｇ担持させ、これら２枚の光触媒シート６１，６２を空気入口側、出口側に配置し、紫外線発光のＬＥＤチップ３による光の照射強度２ｍＷ／ｃｍ２とした光触媒脱臭装置１を用いた。さらに、実施例では、ＬＥＤチップ３の封止材には、常温液体ガラスを用いた。
【００３８】
比較例１として、実施例とは逆に、酸化タングステン光触媒シート６２を入口側に、酸化チタン光触媒シート６１を出口側に配置した光触媒脱臭装置を用いた。
【００３９】
そして、初期濃度３０ｐｐｍのアルデヒドと初期濃度２０ｐｐｍのアンモニアが存在する冷蔵庫内で脱臭性能試験を行った。図１１、図１２のグラフに示すように、比較例の光触媒脱臭装置による脱臭性能と比べると、本実施例の光触媒脱臭装置の方が約２０ポイント程度アンモニアの分解性能が高いことが確認できた。
【００４０】
また、比較例２として、面光源基板５として、ＬＥＤチップ３に封止材としてビスフェノール型エポキシ樹脂を塗布、乾燥させたもの、比較例３として、ＬＥＤチップ３に封止材としてフェニール系シリコン樹脂を塗布、乾燥させたものについて、実施例の面光源基板５と照射時間−照度維持特性について比較した。結果は図１３のグラフの通りであり、比較例２，３の面光源基板は１０００時間、２０００時間までに相対照度がほとんど０に低下したのに対して、実施例に用いた面光源基板５では３０００時間までほとんど相対照度が低下しないことが確認できた。
【００４１】
［第２の実施の形態］
ガラス繊維織物６１Ａ，６２Ａに、例えば、直径１μｍ以下の孔の多孔質ガラス繊維を用い、かつ、この多孔質ガラス繊維を図９、図１０のように整然と束ねた縦糸群と、多孔質ガラス繊維を乱雑に束ねた横糸群とから成る織物を採用することができる。尚、縦糸と横糸とは逆にしてもよい。また、面光源基板５は第１の実施の形態と共通で、図２〜図８で説明したものである。
【００４２】
この場合、光触媒微粒子６１Ｂ，６２Ｂへのガラス密着力がさらに向上する。これはガラス繊維を乱雑に束ねた縦糸群の存在により、乱れたガラス繊維が元の直線状の形状に戻ろうとする力が働き、この復元力が光触媒粒子を抑えることに作用すると思われる。また、一般的に光触媒材料の触媒活性が光触媒粒子の粒度の減少と共に高まることが知られているが、ガラス繊維を直径１μｍ以下の孔を持つ多孔質ガラスとすることにより、触媒活性の高い１μｍ以下の光触媒粒子６１Ｂ（６２Ｂ）をガラス繊維６Ａに存在する直径１μｍ以下の孔にトラップすることができて、長期間脱落することになく担持でき、光触媒能力を長期間にわたり維持できる。このため、この実施の形態の光触媒脱臭装置は、図１に示したような冷蔵庫に使用できるだけでなく、例えば風速の高い５ｍ／秒の大型空調機にも適用が可能である。
【００４３】
［その他の実施の形態］
第１，２の実施の形態の光触媒脱臭装置１では、光触媒シート６１を２枚、光触媒シート６２を１枚用い、片側の面光源基板５から光を照射する構成にしたが、これに限られるものでない。対向基板７にも面光源基板を用いることにより、光触媒シート６１，６２に対してそれらの表裏両側から光を照射する構成にすることができる。また、光触媒シート６１，６２の使用枚数は、それぞれを少なくとも１枚ずつ用いればよいのであって、光触媒シート６１，６２を２枚ずつ用いたり、光触媒シート６１を３枚、光触媒シート６２を２枚以上用いたりすることも可能である。さらに、光触媒シートとして２種類のものを採用したが、例えば、光触媒シート６１だけを２枚、あるいは３枚採用することも可能である。
【００４４】
加えて、上記実施の形態では、光触媒シート６１，６２に縦糸又は横糸の一方は繊維を整然と揃え、その他方は繊維をばらばらにしたものを用いたが、縦糸、横糸ともに繊維がそろったガラス繊維を用いることも可能である。
【符号の説明】
【００４５】
１  光触媒脱臭装置
３  ＬＥＤチップ
４  通風孔
５  面光源基板
６Ａ  ガラス繊維
６１，６２  光触媒シート
６１Ａ，６２Ａ  ガラス繊維織物
６１Ｂ  酸化チタン（ＴｉＯ２）を主成分とする光触媒粒子
６２Ｂ  酸化タングステン（ＷＯ３）を主成分とする光触媒粒子
６Ｃ  フレーム
７  対向基板
８  筐体
９  天板
【図１】
2012152452.tif 000003
【図２】
2012152452.tif 000004
【図３】
2012152452.tif 000005
【図４】
2012152452.tif 000006
【図５】
2012152452.tif 000007
【図６】
2012152452.tif 000008
【図７】
2012152452.tif 000009
【図８】
2012152452.tif 000010
【図９】
2012152452.tif 000011
【図１０】
2012152452.tif 000012
【図１１】
2012152452.tif 000013
【図１２】
2012152452.tif 000014
【図１３】
2012152452.tif 000015